(57)【特許請求の範囲】
【請求項１】
屋外側から外壁パネル間の目地奥に圧入されて、当該目地に充填されるシーリング材をバックアップする耐火目地材であって、
前記目地の目地幅よりも幅狭の帯状に形成され、前記シーリング材が当接するバックアップ部と、
該バックアップ部の幅方向の中央に沿って屋内方向に突設される連結部と、
該連結部の屋内側に固定され、前記目地の目地幅よりも幅広に形成され、弾性を有し、当該目地内で湾曲してそのヒレ状に形成された両端部が前記バックアップ部の端縁と外壁パネルの小口面とに挟まれて固定され、且つ、前記両端部間の内部に目地幅の全域に亘るように目地幅より幅広な熱膨張性耐火材が収納された耐火部と、
を備えることを特徴とする耐火目地材。
【請求項２】
前記耐火部の屋内側に前記目地幅よりも幅広な帯状に形成され、且つ弾性を有する姿勢制御部を備えることを特徴とする請求項１に記載の耐火目地材。
【請求項３】
屋外側から外壁パネル間の目地奥に圧入される耐火目地材と、
該耐火目地材の屋外側の前記目地に充填されるシーリング材と、
を備える外壁目地の耐火防水構造であって、
前記耐火目地材は、前記目地の目地幅よりも幅狭の帯状に形成され、前記シーリング材が当接するバックアップ部と、該バックアップ部の幅方向の中央に沿って屋内方向に突設される連結部と、該連結部の屋内側に固定され、前記目地の目地幅よりも幅広に形成され、弾性を有し、当該目地内で湾曲してそのヒレ状に形成された両端部が前記バックアップ部の端縁と外壁パネルの小口面とに挟まれて固定され、且つ、前記両端部間の内部に目地幅全域に亘るように目地幅より幅広な熱膨張性耐火材が収納された耐火部と、を備えることを特徴とする外壁目地の耐火防水構造。
【請求項４】
前記耐火目地材は、前記耐火部の屋内側に前記目地幅よりも幅広な帯状に形成され、且つ弾性を有する姿勢制御部を備えることを特徴とする請求項３に記載の外壁目地の耐火防水構造。
【発明の詳細な説明】
【技術分野】
【０００１】
本発明は、外壁パネル間の縦目地から屋内側に水が侵入することを防ぐとともに、耐火・遮炎機能を有する耐火目地材及びこの耐火目地材を用いた外壁目地の耐火防水構造に関する。
【背景技術】
【０００２】
従来より、乾式の目地材の中には、防水機能のみならず防火、遮炎機能を備え、火災等の際に目地から建物内部に炎が侵入し燃え広がることを防止するものが提案されている。例えば、図６に示すように、外壁パネル２００間に形成される目地２０１に、建物内部への水の侵入を防止し遮炎するため嵌込まれるゴムまたはゴム様弾性体より成る目地材２０２であって、中央柱部２０３の両側から各々シールリップ２０４が外壁の端面に向けて上下に複数段突設され、かつ室内側の最下段を除く室外側の上方のシールリップのうち少なくとも一カ所の段のシールリップ２０４に、遮炎性を有する板状の防火材料２０５が目地材の幅方向及び長手方向に略全面に亘り埋設された目地材２０２が提案されている（例えば、特許文献１)。
【０００３】
この目地材２０２によると、防火材料２０５がシールリップ２０４の目地材２０２の幅方向に略全面に亘り埋設されているので、例えば屋外側から目地に向かって炎が当っても、目地には防火材料２０５が略全面に亘って配置されているので、炎が目地の屋内側に侵入する虞が無い。
【０００４】
ところで、外壁の目地を防水する目地材としては、上述のような乾式の目地材のほかに、従来より目地奥に挿入されるバックアップ材と、このバックアップ材の屋外側にシーリング材を注入充填する湿式の目地シーリング構造が用いられることがある（例えば、特許文献２）。
【先行技術文献】
【特許文献】
【０００５】
【特許文献１】特開２００４−３２４３９７号公報
【特許文献２】特開平６−２４０５号公報
【発明の概要】
【発明が解決しようとする課題】
【０００６】
しかし、シーリング材を防水上十分な厚さで目地内に充填させるためには、バックアップ材としての目地材は、目地の最も屋内側に薄く配置することが好ましく、上述の特許文献１のようなシールリップを外壁パネルの端面に向けて上下に複数段設置した目地材では、目地材の厚みによってシーリング材を十分に目地内に充填できない場合がある。
【０００７】
そこで、本発明は、十分な防水性を確保できるシーリング材をバックアップでき、且つ、十分な耐火・遮炎性を発揮できる耐火目地材、及びこの耐火目地材を用いた外壁目地の耐火防水構造を提供することを目的とする。
【課題を解決するための手段】
【０００８】
請求項１に記載の耐火目地材は、屋外側から外壁パネル間の目地奥に圧入されて、当該目地に充填されるシーリング材をバックアップする耐火目地材であって、
前記目地の目地幅よりも幅狭の帯状に形成され、前記シーリング材が当接するバックアップ部と、該バックアップ部の幅方向の中央に沿って屋内方向に突設される連結部と、該連結部の屋内側に固定され、前記目地の目地幅よりも幅広に形成され、弾性を有し、当該目地内で湾曲してそのヒレ状に形成された両端部が前記バックアップ部の端縁と外壁パネルの小口面とに挟まれて固定され、且つ、前記両端部間の内部に目地幅の全域に亘るように目地幅より幅広な熱膨張性耐火材が収納された耐火部と、を備えることを特徴としている。
【０００９】
請求項２に記載の耐火目地材は、前記耐火部の屋内側に前記目地幅よりも幅広な帯状に形成され、且つ弾性を有する姿勢制御部を備えることを特徴としている。
【００１０】
請求項３に記載の外壁目地の耐火防水構造は、屋外側から外壁パネル間の目地奥に圧入される耐火目地材と、該耐火目地材の屋外側の前記目地に充填されるシーリング材と、を備える外壁目地の耐火防水構造であって、前記耐火目地材は、前記目地の目地幅よりも幅狭の帯状に形成され、前記シーリング材が当接するバックアップ部と、該バックアップ部の幅方向の中央に沿って屋内方向に突設される連結部と、該連結部の屋内側に固定され、前記目地の目地幅よりも幅広に形成され、弾性を有し、当該目地内で湾曲してそのヒレ状に形成された両端部が前記バックアップ部の端縁と外壁パネルの小口面とに挟まれて固定され、且つ、前記両端部間の内部に目地幅の全域に亘るように目地幅より幅広な熱膨張性耐火材が収納された耐火部と、を備えることを特徴としている。
【００１１】
請求項４に記載の外壁目地の耐火防水構造は、前記耐火目地材は、前記耐火部の屋内側に前記目地幅よりも幅広な帯状に形成され、且つ弾性を有する姿勢制御部を備えることを特徴としている。
【発明の効果】
【００１２】
請求項１に記載の耐火目地材によると、バックアップ部が目地幅よりも幅狭の帯状に形成されており、このバックアップ部の屋内側に設けられる内部に熱膨張性耐火材が収納された耐火部が、目地幅よりも幅広で弾性を有し、当該目地内で湾曲してその端部がバックアップ部の端縁と外壁パネルの小口面とに挟まれて固定されているので、耐火目地材を目地の最も屋内側に配置することができ、シーリング材を充填するスペースを確保し易い。しかも、内部に熱膨張性耐火材を備えた耐火部は目地よりも幅広に形成されているので、例えば外壁パネルの施工上の誤差で多少目地幅が広がった場合でも確実に目地幅の全域に亘って熱膨張性耐火材を配置することができ、確実に、耐火・遮炎することができる。
【００１３】
請求項２に記載の耐火目地材によると、耐火部の屋内側に目地幅よりも幅広な帯状に形成され、且つ弾性を有する姿勢制御部を備えるので、耐火目地材を目地に挿入する際に、この姿勢制御部が外壁パネルの小口面に当接してガイドされるので、耐火目地材を適切な位置に挿入しやすい。
【００１４】
請求項３に記載の外壁目地の耐火防水構造によると、耐火目地材のバックアップ部が目地幅よりも幅狭の帯状に形成されており、このバックアップ部の屋内側に設けられる内部に熱膨張性耐火材が収納された耐火部が、目地幅よりも幅広で弾性を有し、当該目地内で湾曲してその端部がバックアップ部の端縁と外壁パネルの小口面とに挟まれて固定されているので、耐火目地材を目地の最も屋内側に配置することができ、シーリング材を防水上十分に充填することができる。しかも、内部に熱膨張性耐火材を備えた耐火部は目地よりも幅広に形成されているので、例えば外壁パネルの施工上の誤差で多少目地幅が広がった場合でも確実に目地幅の全域に亘って熱膨張性耐火材を配置することができ、確実に、耐火・遮炎することができる。
【００１５】
請求項４に記載の外壁目地の耐火防水構造によると、耐火目地材には、耐火部の屋内側に目地幅よりも幅広な帯状に形成され、且つ弾性を有する姿勢制御部を備えるので、耐火目地材を目地に挿入する際に、この姿勢制御部が外壁パネルの小口面に当接してガイドされるので、耐火目地材を適切な位置に挿入しやすい。
【図面の簡単な説明】
【００１６】
【図１】耐火目地材の構成を示す断面図。
【図２】耐火目地材の外観構成を示す一部省略斜視図。
【図３】耐火目地材を外壁パネル間の目地に挿入し始めた状態を説明する一部省略断面図及び拡大図。
【図４】耐火目地材を外壁パネル間の目地奥まで挿入した状態を説明する一部省略断面図及び拡大図。
【図５】外壁目地の耐火防水構造の全体構成を示す断面図。
【図６】従来の乾式の耐火目地材を示す図。
【発明を実施するための形態】
【００１７】
以下、本発明の耐火目地材１及び外壁目地の耐火防水構造２の最良の実施形態について各図を参照しつつ説明する。外壁目地の耐火防水構造２は、図５に示すように、屋外側から外壁パネル３間の目地奥に圧入される耐火目地材１と、この耐火目地材１にバックアップされてこの耐火目地材１の屋外側の目地に充填されるシーリング材４と、により構成されている。
【００１８】
耐火目地材１は、外壁パネル３間の縦目地及び水平目地に挿入される目地材であって、図１及び図２に示すように、断面形状が王の字状に形成されており、目地の目地幅よりも幅狭に形成されたバックアップ部１１と、このバックアップ部１１の幅方向の中央に沿って屋内方向に突設される連結部１２と、この連結部１２の屋内側に固定された耐火部１３と、この耐火部１３の幅方向の中央に沿って屋内側に突設される支持部１４と、この支持部１４から両側に延びる姿勢制御部１５とにより構成されている。
【００１９】
バックアップ部１１は、弾性を有する樹脂により扁平な帯状に形成されている。また、耐火部１３は、連結部１２を介してこのバックアップ部１１に固定されており、目地幅よりも幅が広い帯状に形成されている。この耐火部１３は、弾性を有し、端部がヒレ状に形成されており、その内部に熱膨張性耐火材１６が収納されている。図５に表されるように、この耐火部１３は目地内で湾曲してその先端がバックアップ部１１の先端と外壁パネル３の小口面３ａとに挟まれて固定される。姿勢制御部１５は、目地の屋内側に広がって弾性を有する樹脂によりヒレ状に形成されており、目地幅よりも幅広に形成されており、先端が屋外方向に湾曲している。
【００２０】
シーリング材４は例えば、ポリウレタン系、シリコン系、ポリサルファイド系などの湿式のシーリング材４であり、耐火目地材１を挿入した目地に充填されて、目地の防水性を確保する。
【００２１】
外壁目地の耐火防水構造２を施工するときには、まず、建物の軸組５に外壁パネル取付用金具６を用いて、外壁パネル３を取り付ける。この外壁パネル３を軸組５に固定する外壁パネル取付用金具６は、軸組５に固定され、軸組５から屋外方向に突出する基部６１と、基部６１を軸として回転可能に固定されており、外壁パネル３の周縁に目地側を開口するＵ字状に形成された金属枠３ｂを軸組５との間に挟持するパネル固定部６２と、このパネル固定部６２を回転動作させる操作部６３とを備える。外壁パネル３を固定する際には、軸組５に外壁パネル３の金属枠３ｂを押し当てて、外壁パネル取付用金具６の操作部６３を操作してパネル固定部６２を回転させ、パネル固定部６２と軸組５とで外壁パネル３の金属枠３ｂを挟持して固定する。このとき、操作部６３は、外壁パネル３間の縦目地の奥に位置するように構成されている。したがって、屋外側から目地内に図示しないドライバーなどの工具を挿入しつつ操作することにより、外壁パネル３を屋外側から取り付けることができ、また、リフォームなどの際にも外壁パネル３を屋外側から取り外すことができる。
【００２２】
次に互いに隣接する外壁パネル３間の間の目地に耐火目地材１を圧入する。このとき、図３に示すように、まず、耐火目地材１の姿勢制御部１５が目地内に挿入される。姿勢制御部１５は目地幅よりも幅広な弾性体で形成されているので、目地内に圧入されるときに、姿勢制御部１５は外壁パネル３の小口面３ａに当接して弾性変形しつつ、目地内に圧入される。このように姿勢制御部１５が外壁パネル３の小口面３ａに当接しつつ圧入されることで、耐火目地材１を目地内に適切な姿勢を保って挿入することができる。そして、耐火目地材１をさらに圧入すると、耐火部１３の先端も外壁パネル３に当接して湾曲した状態に弾性変形する。
【００２３】
耐火目地材１を外壁パネル３間の目地奥まで挿入すると、図４に示すように、姿勢制御部１５が目地から屋内側の空間に飛び出して、その弾性復元力により目地の屋内側で広がる。そして、耐火部１３は、湾曲した状態でその端部が目地の屋内側の縁でバックアップ部１１と外壁パネル３の小口面３ａとに挟まれて固定される。そして、屋外側からシーリング材４を目地内に充填して、その後養生して、外壁目地の耐火防水構造２を完成させる。
【００２４】
以上のように、耐火目地材１は、目地幅よりも幅広に形成された耐火部１３が、当該目地内で湾曲してその端部がバックアップ部１１の端縁と外壁パネル３の小口面３ａとに挟まれて固定されているので、この耐火目地材１を目地の最も屋内側に配置することができ、例えば外壁パネル３が薄い場合でもシーリング材４を充填するスペースを確保し易い。しかも、内部に熱膨張性耐火材１６を備えた耐火部１３が目地よりも幅広に形成されることで、外壁パネル３の施工上の誤差で多少目地幅が広がった場合でも確実に目地幅の全域に亘って熱膨張性耐火材１６を配置することができ、確実に、耐火・遮炎することができる。また、耐火部１３の屋内側に目地幅よりも幅広な帯状に形成され、且つ弾性を有する姿勢制御部１５を備えるので、耐火目地材１を目地に挿入する際に、この姿勢制御部１５が外壁パネル３の小口面３ａに当接してガイドされるので、耐火目地材１を適切な位置に挿入しやすい。
【００２５】
なお、本発明の実施の形態は上述の形態に限ることなく、本発明の思想の範囲を逸脱しない範囲で適宜変更することができることは云うまでもない。例えば、注入充填する湿式のシーリング材４の替わりに、本願耐火目地材１と類似する乾式の目地材を用いてもよい。
【産業上の利用可能性】
【００２６】
本発明に係る耐火目地材１及び耐火防水構造２は、住宅等の外壁パネル３間の縦目地に圧入される目地材及び目地構造として、好適に用いることができる。
【符号の説明】
【００２７】
１          耐火目地構造
２          外壁目地の耐火防水構造
３          外壁パネル
４          シーリング材
１１        バックアップ部
１２        連結部
１３        耐火部
１５        姿勢制御部
１６        熱膨張性耐火材
【図１】
0005578658.tif 000002
【図２】
0005578658.tif 000003
【図３】
0005578658.tif 000004
【図４】
0005578658.tif 000005
【図５】
0005578658.tif 000006
【図６】
0005578658.tif 000007